(57)【要約】【課題】便器の封水切れを抑制するトイレシステムを提供することを目的とする。【解決手段】便器に起倒自在に設置された便座と、前記便座を起倒自在に支持する本体と、前記本体とは別体に設けられた送信機と、を備え、前記本体は、前記便器に洗浄水を流す吐水部と、前記送信機から送信された送信信号を受信するための本体受信部と、前記本体受信部が前記送信信号を受信したとき、前記吐水部から前記便器に洗浄水を流す設備保護洗浄制御を行う本体制御部と、を備え、前記送信機は、一定間隔で、送信回数情報を含んだ前記送信信号を生成するための信号生成部と、前記送信信号を前記一定間隔で送信するための送信機送信部と、を備えたトイレシステム。【選択図】  図４
2018168670.tif 000002
【特許請求の範囲】
【請求項１】
便器に起倒自在に設置された便座と、
前記便座を起倒自在に支持する本体と、
前記本体とは別体に設けられた送信機と、
を備え、
前記本体は、
前記便器に洗浄水を流す吐水部と、
前記送信機から送信された送信信号を受信するための本体受信部と、
前記本体受信部が前記送信信号を受信したとき、前記吐水部から前記便器に洗浄水を流す設備保護洗浄制御を行う本体制御部と、
を備え、
前記送信機は、
一定間隔で、送信回数情報を含んだ前記送信信号を生成するための信号生成部と、
前記送信信号を前記一定間隔で送信するための送信機送信部と、
を備えたトイレシステム。
【請求項２】
前記本体に、前記本体が通電されてから所定間隔を計測するための時間計測部と、
を備え、
前記本体制御部は、前記時間計測部で前記所定間隔が経過したら前記設備保護洗浄制御を行い、
前記一定間隔は、前記所定間隔未満であることを特徴とする請求項１記載のトイレシステム。
【請求項３】
前記本体制御部が前記設備保護洗浄制御を行った際に前記時間計測部の値を初期値に再設定する制御を行うことを特徴とする請求項２記載のトイレシステム。
【請求項４】
前記本体に設けられ、前記送信機から送信された前記送信信号に含まれる送信回数情報を記憶するための記憶部と、
を備え、
前記本体制御部は、前記送信機から前記送信信号を受信したときに、前記送信信号に含まれる前記送信回数情報を、前記記憶部に格納されている前記送信回数情報と比較し、値が２以上異なるとき、もしくは前記所定間隔が経過したときに、前記設備保護洗浄制御を行うことを特徴とする請求項２または請求項３記載のトイレシステム。
【請求項５】
前記本体に設けられ、前記送信機からの前記送信信号を受信したときに、前記送信機へ受信通知信号を送信するための本体送信部と、前記送信機に設けられ、前記受信通知信号を受信するための送信機受信部と、
前記送信機に設けられ、前記一定間隔を制御する送信機制御部と、
を備え、
前記送信機制御部は、前記送信信号を送った後、一定待ち時間以内に前記本体送信部からの前記受信通知信号を前記送信機受信部に受信しなければ、前記一定間隔を短くする制御を行うことを特徴とする請求項４記載のトイレシステム。
【発明の詳細な説明】
【技術分野】
【０００１】
本発明は、トイレシステムに関する。
【背景技術】
【０００２】
従来から、トイレシステムの長時間未使用による封水切れを防止するために、便器溜め水の蒸発量が所定蒸発量に到達した際に、自動で便器洗浄を動作させる機能が知られている（例えば、特許文献１参照）。
【０００３】
一方、別の手段として前回の便器洗浄からの時間に応じて自動で便器洗浄を動作させる機能がある。
【０００４】
例えば、前回の便器洗浄から２４時間便器洗浄動作が行われなかったら、自動で便器洗浄を行う技術（設備保護洗浄）が知られている。
【先行技術文献】
【特許文献】
【０００５】
【特許文献１】特開２０１６−１３０４４２号公報
【発明の概要】
【発明が解決しようとする課題】
【０００６】
上記技術では、前回の便器洗浄からの時間をトイレシステム本体が持つ時間計測部にて計測し、その値によって自動で便器洗浄機能を動作させている。
【０００７】
しかし、停電時やホテルでカードキーが抜かれたときなど、トイレシステム本体の電源が切られると、再通電時に時間計測部の値が再設定されてしまうため、自動で便器洗浄を行うまでの時間が遅れるという課題がある。そのため封水切れが生じる可能性がある。
【０００８】
本発明は上述した課題を解決するものであって、便器の封水切れを抑制するトイレシステムを提供することを目的とする。
【課題を解決するための手段】
【０００９】
本発明の第１態様に係るトイレシステムは、便器に起倒自在に設置された便座と、前記便座を起倒自在に支持する本体と、前記本体とは別体に設けられた送信機と、を備え、前記本体は、前記便器に洗浄水を流す吐水部と、前記送信機から送信された前記送信信号を受信するための本体受信部と、前記本体受信部が前記送信信号を受信したとき、前記吐水部から便器内に洗浄水を流す設備保護洗浄制御を行う本体制御部と、を備え、前記送信機は、一定間隔で、送信回数情報を含んだ送信信号を生成するための信号生成部と、前記送信信号を前記一定間隔で送信するための送信機送信部と、を備える。
【００１０】
この構成によれば、送信機は一定間隔で送信信号を送信し、本体は送信信号を受信すると、吐水部から便器内に洗浄水を流す制御、すなわち設備保護洗浄制御を機能させる。したがって、停電時やホテルでカードキーが抜かれたときなど、本体の電源が切られた場合にも、送信機は一定間隔を計測し続けるため、設備保護洗浄制御が機能する時間が遅れることが抑制される。この結果、便器の封水切れを抑制することができる。
【００１１】
本発明の第２態様に係るトイレシステムは、第１態様において、前記本体に、本体が通電されてから所定間隔を計測するための時間計測部と、を備え、前記本体制御部は、前記時間計測部で前記所定間隔が経過したら前記設備保護洗浄制御を行い、前記一定間隔は前記所定間隔未満であることを特徴とする。  
【００１２】
この構成によれば、本体と送信機でそれぞれ異なる間隔を計測することができるので、集中制御等で毎日決まった時間強制的に本体の電源が切られるような現場においても、便器の封水切れを抑制することができる。
【００１３】
本発明の第３態様に係るトイレシステムは、第２態様において、前記本体制御部が前記設備保護洗浄制御を行った際に前記時間計測部の値を初期値に再設定する制御を行うことを特徴とする。
【００１４】
この構成によれば、一定間隔が経過した後、所定間隔が経過する前に設備保護洗浄制御が機能することがなくなるので、無駄水を減らすことができ、かつ、便器の封水切れを抑制することができる。
【００１５】
本発明の第４態様に係るトイレシステムは、第２態様または第３態様の１態様において、前記本体に設けられ、前記送信機から受信した前記送信信号に含まれる送信回数情報を記憶するための記憶部と、を備え、前記本体制御部は、前記送信機から前記送信信号を受信した際に、信号に含まれる送信回数情報を、前記記憶部に格納されている送信回数情報と比較し、値が２以上異なるとき、もしくは前記所定間隔が経過したときに、前記設備保護洗浄制御を行うことを特徴とする。
【００１６】
この構成によれば、通電時は所定間隔で設備保護洗浄制御を機能させ、長時間電源が切られた後は所定間隔未満の一定間隔で設備保護洗浄制御を機能させることができるため、さらに無駄水を減らすことができ、かつ、便器の封水切れを抑制することができる。
【００１７】
本発明の第５態様に係るトイレシステムは、第４態様において、前記本体に設けられ、前記送信機からの前記送信信号を受信した際、前記送信機へ受信通知信号を送信するための本体送信部と、前記送信機に設けられ、前記受信通知信号を受信するための送信機受信部と、前記送信機に設けられ、前記一定間隔を制御する送信機制御部と、を備え、前記送信機制御部は、前記送信信号を送った後、一定待ち時間以内に前記本体送信部からの前記受信通知信号を前記送信機受信部に受信しなければ、前記一定間隔を短くする制御を行うことを特徴とする。
【００１８】
この構成によれば、設備保護洗浄制御が機能する時間の遅れをさらに抑制することができるため、便器の封水切れ抑制の効果を高めることができる。
【発明の効果】
【００１９】
本発明のトイレシステムによれば、設備保護洗浄制御を定期的に機能させることができ、便器の封水切れを抑制することができる。
【図面の簡単な説明】
【００２０】
【図１】本発明の第１実施形態に係るトイレシステムの一例を模式的に示す斜視図である。
【図２】本発明の第１実施形態に係る本体を模式的に表すブロック図である。
【図３】本発明の第１実施形態に係る送信機を模式的に表すブロック図である。
【図４】本発明の第１実施形態に係る本体と送信機の動作の一例を模式的に表すグラフ図である。
【図５】本発明の第１実施形態の本体制御部における制御動作の一例を示すフローチャートである。
【図６】本発明の第１実施形態の送信機制御部における制御動作の一例を示すフローチャートである。
【発明を実施するための形態】
【００２１】
以下、添付図面を参照しながら本発明の実施の形態について説明する。理解を容易にするため、各図面において同一の構成要素に対しては可能な限り同一の符号を付し、重複する説明は省略する。
【００２２】
[第１実施形態]
本発明の実施の形態の中で、第１実施形態（以下、「本実施形態と称す」。）におけるトイレシステムについて説明する。
【００２３】
＜トイレシステムの構成＞
図１に示すように、トイレシステムＳは、例えばトイレブース内に構成され、トイレ装置１００と、送信機２００と、を備えている。
【００２４】
トイレ装置１００は、洋式腰掛便器１１０（以下、便器１１０と称す）と、その上に設けられた便座１２０と、本体１３０と、を備える。
【００２５】
送信機２００は、トイレ装置１００と共に用いられる。送信機２００は、トイレ装置１００に無線制御信号を送信する。トイレ装置１００は、送信機２００から送信された無線制御信号を受信し、その無線制御信号に応じた動作を実行する。
【００２６】
＜本体の構成＞
図２は、本実施形態に係る本体を模式的に表すブロック図である。
【００２７】
図２に示すように、本体１３０は、本体制御部１３１と、記憶部１３２と、本体時間計測部１３３と、本体電源部１３４と、吐水部１３５と、本体送信部１３６と、本体受信部１３７と、を備える。
【００２８】
本体制御部１３１は、記憶部１３２と、本体時間計測部１３３と、本体受信部１３７の状態に応じて、吐水部１３５より、便器に洗浄水を流す設備保護洗浄制御（以下、「第１洗浄制御」と称す）を行う。
【００２９】
記憶部１３２は、送信機２００から送信される送信信号に含まれる送信回数情報の値が格納されている。
【００３０】
本体時間計測部１３３は、第１洗浄制御が行われる間隔（例えば２４時間）を計測する。本体時間計測部１３３は、第１洗浄制御が行われる度に値が、初期値に再設定（リセット）される。
【００３１】
本体電源部１３４は、本体各ブロックに電圧を供給する。
【００３２】
吐水部１３５は、第１洗浄制御にて便器に洗浄水を流す場合の通水部である。
【００３３】
本体送信部１３６は、送信機２００から送信された送信信号を、本体受信部１３７が受信した場合、受信通知信号を送信機２００に送信する。
【００３４】
本体受信部１３７は、送信機２００から送信される送信信号を受信し、送信信号の内容を本体制御部１３１に伝達する。
【００３５】
＜送信機の構成＞
図３は、本実施形態に係る送信機を模式的に表すブロック図である。
【００３６】
図３に示すように、送信機２００は、送信機制御部２０１と、送信機時間計測部２０２と、信号生成部２０３と、送信機送信部２０４と、送信機受信部２０５と、を備える。
【００３７】
送信機制御部２０１は、送信機受信部２０５の状態に応じて、送信機時間計測部２０２の計測時間を変更する制御を行う。
【００３８】
送信機時間計測部２０２は、送信機２００が送信信号を送信する間隔（例えば２０時間）を計測する。
【００３９】
信号生成部２０３は、送信機制御部２０１からの指示を受け、送信信号を生成し、送信機送信部２０４に伝達する。
【００４０】
送信機送信部２０４は、信号生成部２０３で生成された送信信号をトイレ装置１００の本体１３０に送信する。
【００４１】
送信機受信部２０５は、トイレ装置１００の本体１３０に備えられている本体送信部１３５から送信される受信通知信号を受信し、受信通知信号の内容を送信機制御部２０１に伝達する。
【００４２】
＜トイレシステムの作用の一例＞
次に、本実施形態に係るトイレシステムの作用の一例について説明する。
【００４３】
図４（ａ）〜（ｆ）は、本実施形態に係る本体１３０と送信機２００の動作の一例を模式的に表すグラフ図である。図４（ａ）〜（ｆ）の横軸は時間（時間）である。図４（ａ）〜（ｄ）は、本体１３０に係る各状態を表している。図４（ｅ）〜（ｆ）は、送信機２００に係る各状態を表している。図４（ａ）の縦軸は、本体電源部１３４の状態（ＯＮ／ＯＦＦ）を表している。図４（ｂ）の縦軸は、第１洗浄制御の有無を表している。図４（ｃ）の縦軸は、本体時間計測部１３３のカウント値を表している。図４（ｄ）の縦軸は、受信通知信号の送信の有無を表している。図４（ｅ）は、送信機時間計測部２０２のカウント値を表している。図４（ｆ）は、送信信号の送信の有無を表している。
【００４４】
図４（ａ）〜（ｆ）では、使用者が、本体電源部１３４がＯＮの状態から、ＯＦＦに切り替え、再びＯＮに切り替えた場合の、第１洗浄制御が行われるタイミングについて説明する。以下、括弧内のｔ１〜ｔ９は、０時間から順次経過していく時間数を表している。
【００４５】
（０時間以上、ｔ１時間未満の間）
本体電源部１３４は、ＯＮ状態である。記憶部１３２の値は、０である。本体時間計測部１３３の値は０より大きい。送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００４６】
（ｔ１時間経過時）
本体電源部１３４は、ＯＮ状態である。本体時間計測部１３３の値は、０より大きい。また、送信機時間計測部２０２の値は、０であるため、送信機２００は、本体１３０に送信信号を送信する（送信機時間計測部２０２の値はリセットされる）。このとき、記憶部１３２の値は０、送信信号に含まれる送信回数情報は１であり、値が２以上異ならないため、第１洗浄制御は行われない。記憶部１３２の値は１になる。本体１３０は、送信機２００から送信信号を受信すると、送信機２００に受信通知信号を送信する。
【００４７】
（ｔ１時間より大きく、ｔ２時間未満の間）
本体電源部１３４は、ＯＮ状態である。記憶部１３２の値は、１である。本体時間計測部１３３の値は０より大きい。送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００４８】
（ｔ２時間経過時）
本体電源部１３４は、ＯＮ状態である。記憶部１３２の値は、１である。また、本体時間計測部１３３の値は、０であるため、第１洗浄制御が行われる（本体時間計測部１３３の値はリセットされる）。このとき、送信機時間計測部２０２の値は０より大きいため、送信機２００は本体１３０に送信信号を送信しない。したがって、本体１３０は、送信機２００に受信通知信号を送信しない。
【００４９】
（ｔ２時間より大きく、ｔ３時間未満の間）
本体電源部１３４は、ＯＮ状態である。記憶部１３２の値は、１である。本体時間計測部１３３の値は０より大きい。送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００５０】
（ｔ３時間経過時）
本体電源部１３４は、ＯＮ状態である。本体時間計測部１３３の値は、０より大きい。また、送信機時間計測部２０２の値は、０であるため、送信機２００は、本体１３０に送信信号を送信する（送信機時間計測部２０２の値はリセットされる）。このとき、記憶部１３２の値は１、送信信号に含まれる送信回数情報は２であり、値が２以上異ならないため、第１洗浄制御は行われない。記憶部１３２の値は２になる。本体１３０は、送信機２００から送信信号を受信すると、送信機２００に受信通知信号を送信する。
【００５１】
（ｔ３時間より大きく、ｔ４時間未満の間）
本体電源部１３４は、ＯＮ状態である。記憶部１３２の値は、２である。本体時間計測部１３３の値は０より大きい。送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００５２】
（ｔ４時間経過時）
本体電源部１３４は、ＯＮ状態である。記憶部１３２の値は、２である。また、本体時間計測部１３３の値は、０であるため、第１洗浄制御が行われる（本体時間計測部１３３の値はリセットされる）。このとき、送信機時間計測部２０２の値は０より大きいため、送信機２００は本体１３０に送信信号を送信しない。したがって、本体１３０は、送信機２００に受信通知信号を送信しない。
【００５３】
（ｔ４時間より大きく、ｔ５時間未満の間）
本体電源部１３４は、ＯＮ状態である。記憶部１３２の値は、２である。本体時間計測部１３３の値は０より大きい。送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００５４】
（ｔ５時間経過時）
本体電源部１３４は、ＯＦＦ状態になる。記憶部１３２の値は、２である。本体時間計測部１３３は、本体電源部１３４がＯＦＦ状態のため、カウントがストップする（電源再投入時にリセットされる）。このとき、送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００５５】
（ｔ５時間より大きく、ｔ６時間未満の間）
本体電源部１３４は、ＯＦＦ状態である。記憶部１３２の値は、２である。本体時間計測部１３３は、本体電源部１３４がＯＦＦ状態のため、カウントがストップしている（電源再投入時にリセットされる）。このとき、送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００５６】
（ｔ６時間経過時）
本体電源部１３４は、ＯＦＦ状態である。また、送信機時間計測部２０２の値は、０であるため、送信機２００は、本体１３０に送信信号を送信する（送信機時間計測部２０２の値はリセットされる）。しかし、本体電源部１３４がＯＦＦ状態であるため、本体１３０は、送信機２００から送信信号を受信することができない。よって、本体１３０は、送信機２００に受信通知信号を送信しない。送信機受信部２０５は、受信通知信号を受信しないため、送信機制御部２０１は、送信機時間計測部２０２のカウント値を４時間に変更する。記憶部１３２の値は２、送信信号に含まれる送信回数情報は３である。記憶部１３２の値は、本体電源部１３４がＯＦＦ状態であるため、変更されない。本体時間計測部１３３は、本体電源部１３４がＯＦＦ状態のため、カウントがストップしている（電源再投入時にリセットされる）。この間、第１洗浄制御は、行われない。
【００５７】
（ｔ６時間より大きく、ｔ７時間未満の間）
本体電源部１３４は、ＯＦＦ状態である。記憶部１３２の値は、２である。本体時間計測部１３３は、本体電源部１３４がＯＦＦ状態のため、カウントがストップしている（電源再投入時にリセットされる）。このとき、送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００５８】
（ｔ７時間経過時）
本体電源部１３４は、ＯＦＦ状態である。また、送信機時間計測部２０２の値は、０であるため、送信機２００は、本体１３０に送信信号を送信する（送信機時間計測部２０２の値はリセットされる）。しかし、本体電源部１３４がＯＦＦ状態であるため、本体１３０は、送信機２００から送信信号を受信することができない。よって、本体１３０は、送信機２００に受信通知信号を送信しない。送信機受信部２０５は、受信通知信号を受信しないため、送信機時間計測部２０２のカウントは４時間のままである。記憶部１３２の値は２、送信信号に含まれる送信回数情報は４である。記憶部１３２の値は、本体電源部１３４がＯＦＦ状態であるため、変更されない。本体時間計測部１３３は、本体電源部１３４がＯＦＦ状態のため、カウントがストップしている（電源再投入時にリセットされる）。この間、第１洗浄制御は、行われない。
【００５９】
（ｔ７時間より大きく、ｔ８時間未満の間）
本体電源部１３４は、ＯＦＦ状態である。記憶部１３２の値は、２である。本体時間計測部１３３は、本体電源部１３４がＯＦＦ状態のため、カウントがストップしている（電源再投入時にリセットされる）。このとき、送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００６０】
（ｔ８時間経過時）
本体電源部１３４は、ＯＦＦ状態である。また、送信機時間計測部２０２の値は、０であるため、送信機２００は、本体１３０に送信信号を送信する（送信機時間計測部２０２の値はリセットされる）。しかし、本体電源部１３４がＯＦＦ状態であるため、本体１３０は、送信機２００から送信信号を受信することができない。よって、本体１３０は、送信機２００に受信通知信号を送信しない。送信機受信部２０５は、受信通知信号を受信しないため、送信機時間計測部２０２のカウントは４時間のままである。記憶部１３２の値は２、送信信号に含まれる送信回数情報は５である。記憶部１３２の値は、本体電源部１３４がＯＦＦ状態であるため、変更されない。本体時間計測部１３３は、本体電源部１３４がＯＦＦ状態のため、カウントがストップしている（電源再投入時にリセットされる）。この間、第１洗浄制御は、行われない。
【００６１】
（ｔ８時間より大きく、ｔ９時間未満の間）
本体電源部１３４は、ＯＦＦ状態である。記憶部１３２の値は、２である。本体時間計測部１３３は、本体電源部１３４がＯＦＦ状態のため、カウントがストップしている（電源再投入時にリセットされる）。このとき、送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００６２】
（ｔ９時間経過時）
本体電源部１３４は、ＯＦＦ状態である。また、送信機時間計測部２０２の値は、０であるため、送信機２００は、本体１３０に送信信号を送信する（送信機時間計測部２０２の値はリセットされる）。しかし、本体電源部１３４がＯＦＦ状態であるため、本体１３０は、送信機２００から送信信号を受信することができない。よって、本体１３０は、送信機２００に受信通知信号を送信しない。送信機受信部２０５は、受信通知信号を受信しないため、送信機時間計測部２０２のカウントは４時間のままである。記憶部１３２の値は２、送信信号に含まれる送信回数情報は６である。記憶部１３２の値は、本体電源部１３４がＯＦＦ状態であるため、変更されない。本体時間計測部１３３は、本体電源部１３４がＯＦＦ状態のため、カウントがストップしている（電源再投入時にリセットされる）。この間、第１洗浄制御は、行われない。
【００６３】
（ｔ９時間より大きく、ｔ１０時間未満の間）
本体電源部１３４は、ＯＦＦ状態である。記憶部１３２の値は、２である。本体時間計測部１３３は、本体電源部１３４がＯＦＦ状態のため、カウントがストップしている（電源再投入時にリセットされる）。このとき、送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００６４】
（ｔ１０時間経過時）
本体電源部１３４は、ＯＦＦ状態である。また、送信機時間計測部２０２の値は、０であるため、送信機２００は、本体１３０に送信信号を送信する（送信機時間計測部２０２の値はリセットされる）。しかし、本体電源部１３４がＯＦＦ状態であるため、本体１３０は、送信機２００から送信信号を受信することができない。よって、本体１３０は、送信機２００に受信通知信号を送信しない。送信機受信部２０５は、受信通知信号を受信しないため、送信機時間計測部２０２のカウントは４時間のままである。記憶部１３２の値は２、送信信号に含まれる送信回数情報は７である。記憶部１３２の値は、本体電源部１３４がＯＦＦ状態であるため、変更されない。本体時間計測部１３３は、本体電源部１３４がＯＦＦ状態のため、カウントがストップしている（電源再投入時にリセットされる）。この間、第１洗浄制御は、行われない。
【００６５】
（ｔ１０時間より大きく、ｔ１１時間未満の間）
本体電源部１３４は、ＯＦＦ状態である。記憶部１３２の値は、２である。本体時間計測部１３３は、本体電源部１３４がＯＦＦ状態のため、カウントがストップしている（電源再投入時にリセットされる）。このとき、送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００６６】
（ｔ１１時間経過時）
本体電源部１３４は、ＯＦＦ状態である。また、送信機時間計測部２０２の値は、０であるため、送信機２００は、本体１３０に送信信号を送信する（送信機時間計測部２０２の値はリセットされる）。しかし、本体電源部１３４がＯＦＦ状態であるため、本体１３０は、送信機２００から送信信号を受信することができない。よって、本体１３０は、送信機２００に受信通知信号を送信しない。送信機受信部２０５は、受信通知信号を受信しないため、送信機時間計測部２０２のカウントは４時間のままである。記憶部１３２の値は２、送信信号に含まれる送信回数情報は８である。記憶部１３２の値は、本体電源部１３４がＯＦＦ状態であるため、変更されない。本体時間計測部１３３は、本体電源部１３４がＯＦＦ状態のため、カウントがストップしている（電源再投入時にリセットされる）。この間、第１洗浄制御は、行われない。
【００６７】
（ｔ１１時間より大きく、ｔ１２時間未満の間）
本体電源部１３４は、ＯＦＦ状態である。記憶部１３２の値は、２である。本体時間計測部１３３は、本体電源部１３４がＯＦＦ状態のため、カウントがストップしている（電源再投入時にリセットされる）。このとき、送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００６８】
（ｔ１２時間経過時）
本体電源部１３４は、ＯＦＦ状態である。また、送信機時間計測部２０２の値は、０であるため、送信機２００は、本体１３０に送信信号を送信する（送信機時間計測部２０２の値はリセットされる）。しかし、本体電源部１３４がＯＦＦ状態であるため、本体１３０は、送信機２００から送信信号を受信することができない。よって、本体１３０は、送信機２００に受信通知信号を送信しない。送信機受信部２０５は、受信通知信号を受信しないため、送信機時間計測部２０２のカウントは４時間のままである。記憶部１３２の値は２、送信信号に含まれる送信回数情報は９である。記憶部１３２の値は、本体電源部１３４がＯＦＦ状態であるため、変更されない。本体時間計測部１３３は、本体電源部１３４がＯＦＦ状態のため、カウントがストップしている（電源再投入時にリセットされる）。この間、第１洗浄制御は、行われない。
【００６９】
（ｔ１２時間より大きく、ｔ１３時間未満の間）
本体電源部１３４は、ＯＦＦ状態である。記憶部１３２の値は、２である。本体時間計測部１３３は、本体電源部１３４がＯＦＦ状態のため、カウントがストップしている（電源再投入時にリセットされる）。このとき、送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００７０】
（ｔ１３時間経過時）
本体電源部１３４は、ＯＮ状態になる。記憶部１３２の値は、２である。本体時間計測部１３３は、カウントがリセットされる。このとき、送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００７１】
（ｔ１３時間より大きく、ｔ１４時間未満の間）
本体電源部１３４は、ＯＮ状態である。記憶部１３２の値は、２である。本体時間計測部１３３の値は０より大きい。送信機時間計測部２０２の値は０より大きいため、送信機２００は本体１３０に送信信号を送信しない。したがって、本体１３０は、送信機２００に受信通知信号を送信しない。この間、第１洗浄制御は、行われない。
【００７２】
（ｔ１４時間経過時）
本体電源部１３４は、ＯＮ状態である。また、送信機時間計測部２０２の値は、０であるため、送信機２００は、本体１３０に送信信号を送信する（送信機時間計測部２０２の値はリセットされる）。このとき、記憶部１３２の値は２、送信信号に含まれる送信回数情報は１０であり、値が２以上異なるため、第１洗浄制御が行われる。本体時間計測部１３３は、第１洗浄制御が行われたため、値がリセットされる。記憶部１３２の値は１０になる。本体１３０は、送信機２００から送信信号を受信すると、送信機２００に受信通知信号を送信する。送信機受信部２０５は、受信通知信号を受信するため、送信機制御部２０１は、送信機時間計測部２０２のカウントを２０時間に変更する。
【００７３】
以上、本実施形態に係る本体１３０と送信機２００によれば、図４（ａ）〜（ｆ）に示すように、本体電源部１３４が、２４時間、ＯＮ状態を継続していれば、本体時間計測部１３３の値が０になったことをトリガに、本体１３０は、第１洗浄制御を行う。本体１３０は、第１洗浄制御を行なうたびに、本体時間計測部１３３の値をリセットし、再度カウントを開始する。また、送信機２００は、通電後２０時間毎に、本体１３０へ送信回数情報を含んだ送信信号を送信する。本体１３０は、本体電源部１３４がＯＮ状態であれば、送信機２００から送られてきた送信信号を受信し、その後、送信機２００に受信通知信号を返す。このとき本体１３０は、本体制御部１３１にて送信機２００から送られてきた送信信号に含まれる送信回数情報と、記憶部１３２に格納されている値の比較処理を行い、値が２以上異なれば、第１洗浄制御を行う。上記比較処理の後、本体１３０は、送信機２００から送られてきた送信信号に含まれる送信回数情報を、記憶部１３２に格納する。送信機２００は、本体１３０から受信通知信号が返ってきたら、再び送信機時間計測部２０２にて２０時間のカウントを開始し、本体１３０から受信通知信号が返ってこなかったら、送信機時間計測部２０２のカウント値を４時間に変更し、カウントを開始する。このように、本体電源部１３４がＯＦＦ状態の場合でも、送信機時間計測部２０２によって時間計測を行い、第１洗浄制御を定期的に機能させることができるため、便器の封水切れを抑制することができる。また、本体時間計測部１３３の値と、送信機時間計測部２０２の値が異なるため、集中制御等で毎日決まった時間強制的に本体の電源が切られるような現場においても、便器の封水切れを抑制することができる。
【００７４】
さらに、本体１３０は、第１洗浄制御を行うたびに、本体時間計測部１３３の値をリセットし、再度カウントを開始するため、第１洗浄制御の間隔が２４時間以内になることは無い。よって、無駄水を減らすことができ、かつ、便器の封水切れを抑制することができる。
【００７５】
図５は、本実施形態の本体制御部における制御動作の一例を示すフローチャートである。また、図２は本実施形態に係る本体を模式的に表すブロック図である。さらに、図３は本実施形態に係る本体を模式的に表すブロック図である。以下、図２、図３及び図５を参照しつつ、本実施形態の本体制御部における制御動作の一例を説明する。
【００７６】
ステップＳ１０：本体制御部１３１は、本体電源部１３４がＯＮ状態になると、送信機２００から送信信号を受信したか否かを判断し、ステップＳ１１またはステップＳ１７に進む。
【００７７】
ステップＳ１１：本体制御部１３１は、送信機２００から送信信号を受信した場合は、送信信号に含まれる送信回数情報の値と記憶部１３２の値が２以上異なるかを判断し、ステップＳ１２またはステップＳ１６に進む。
【００７８】
ステップＳ１２〜ステップＳ１５：本体制御部１３１は、送信機２００から受信した送信信号に含まれる送信回数情報の値と記憶部１３２の値が２以上異なる場合は、第１洗浄制御処理を行い、ステップＳ１３に進む。ステップＳ１３では、本体制御部１３１は、本体時間計測部１３３の２４時間タイマをリセットし、ステップＳ１４に進む。ステップＳ１４では、本体制御部１３１は、送信機２００に受信通知信号を送信し、ステップＳ１５に進む。ステップＳ１５では、本体制御部１３１は、送信信号に含まれる送信回数情報の値を記憶部１３２に格納し、ステップＳ１０に戻る。
【００７９】
ステップＳ１６：本体制御部１３１は、送信機２００から受信した送信信号に含まれる送信回数情報の値と記憶部１３２の値が２以上異ならない場合は、送信信号に含まれる送信回数情報の値を記憶部１３２に格納し、ステップＳ１０に戻る。
【００８０】
ステップＳ１７：本体制御部１３１は、送信機２００から送信信号を受信しなかった場合は、本体時間計測部１３３の値が０であるかを判断し、本体時間計測部１３３の値が０である場合は、ステップＳ１８に進む。本体時間計測部１３３の値が０でない場合は、ステップＳ１０に戻る。
【００８１】
ステップＳ１８〜ステップＳ１９：本体制御部１３１は、本体時間計測部１３３の値が０である場合は、第１洗浄制御処理を行い、ステップＳ１９に進む。ステップＳ１９では、本体制御部１３１は、本体時間計測部１３３の２４時間タイマをリスタートし、ステップＳ１０に戻る。
【００８２】
図６は、本実施形態の送信機制御部における制御動作の一例を示すフローチャートである。また、図２は本実施形態に係る本体を模式的に表すブロック図である。さらに、図３は本実施形態に係る本体を模式的に表すブロック図である。以下、図２、図３及び図６を参照しつつ、本実施形態の送信機制御部における制御動作の一例を説明する。
【００８３】
ステップＳ２０：送信機制御部２０１は、送信機時間計測部２０２の値が０であるか否かを判断し、送信機時間計測部２０２の値が０である場合は、ステップＳ２１に進む。送信機時間計測部２０２の値が０でない場合は、ステップＳ２０に戻る。
【００８４】
ステップＳ２１：送信機制御部２０１は、送信機時間計測部２０２の値が０である場合は、本体１３０へ送信信号を送信し、ステップＳ２２に進む。
【００８５】
ステップＳ２２：送信機制御部２０１は、本体１３０へ送信信号を送信すると、本体１３０から受信通知信号を受信したかを判断し、ステップＳ２３またはステップＳ２４に進む。
【００８６】
ステップＳ２３：送信機制御部２０１は、本体１３０から受信通知信号を受信した場合は、送信機時間計測部２０２のタイマを２０時間に変更し、送信機時間計測部２０２のタイマをリスタートし、ステップＳ２０に戻る。
【００８７】
ステップＳ２４：送信機制御部２０１は、本体１３０から受信通知信号を受信しなかった場合、３秒経過したか否かを判断し、３秒経過した場合は、ステップＳ２５に進む。３秒経過していない場合は、ステップＳ２２に戻る。
【００８８】
ステップＳ２５：送信機制御部２０１は、本体１３０から受信通知信号を受信せず３秒経過した場合は、送信機時間計測部２０２のタイマを４時間に変更し、送信機時間計測部２０２のタイマをリスタートし、ステップＳ２０に戻る。
【符号の説明】
【００８９】
Ｓ…トイレシステム
１００…トイレ装置
１１０…便器
１２０…便座
１３０…本体
１３１…本体制御部
１３２…記憶部
１３３…本体時間計測部
１３４…本体電源部
１３５…吐水部
１３６…本体送信部
１３７…本体受信部
２００…送信機
２０１…送信機制御部
２０２…送信機時間計測部
２０３…信号生成部
２０４…送信機送信部
２０５…送信機受信部
【図１】
2018168670.tif 000003
【図２】
2018168670.tif 000004
【図３】
2018168670.tif 000005
【図４】
2018168670.tif 000006
【図５】
2018168670.tif 000007
【図６】
2018168670.tif 000008